(57)【要約】　　　（修正有）【課題】ワイヤハーネスの余長部分の長さをワンタッチで調整できるようにした余長収容ケースを提供する。【解決手段】この余長収容ケース１においては、ケース本体に設けられた中敷きプレート３の導出側端部Ａには、複数本の第１の固定ピン２０が並べられるようにして立設され、隣接する２本の第１の固定ピン２０によりワイヤハーネスＷの配線１３の周面を挟み込む。これにより、配線１３の途中を摘むようにして、第１の固定ピン２０間に配線１３を上から差し込むことで、ワイヤハーネスＷの配線１３を余長収容ケース１内でワンタッチに保持させることができ、長さにバラツキがあるワイヤハーネスＷでも、その長さ調整作業が極めて容易になる。さらに、結線作業にあたって、ワイヤハーネスＷの先端側が外部から引っ張られた場合でも、断線し難いといった利点もある。【選択図】　図３
2004056923.tif 000002
【特許請求の範囲】
【請求項１】
複数本の配線を有するワイヤハーネスの余長部分をケース本体内に収容するための余長収容ケースにおいて、
前記ケース本体に設けられた平板状の中敷きプレートと、
この中敷きプレートの導出側端部に複数並べて立設させると共に、隣接する２本で前記配線の周面を挟み込む第１の固定ピンとを備えたことを特徴とするワイヤハーネス余長収容ケース。
【請求項２】
前記中敷きプレート上において、前記導出側端部に対向する導入側端部に複数の第２の固定ピンを並べて立設させ、隣接する２本の第２の固定ピンで前記配線の周面を挟み込むことを特徴とする請求項１記載のワイヤハーネス余長収容ケース。
【発明の詳細な説明】
【０００１】
【発明の属する技術分野】
本発明は、ワイヤハーネスの余長部分を収容するためのワイヤハーネス余長収容ケースに関するものである。
【０００２】
【従来の技術】
従来、ワイヤハーネスの余長部分の長さ調整は、余長部分を結束バンドで縛ることにより行われている。また、その余長部分が他の機器の邪魔にならないようにするため、特開平１０−３１２７１６号公報に開示されているように、ワイヤハーネスをコルゲートチューブ内に納めたり、特開２００２−０４４８４５号公報に開示されている筐体内にワイヤハーネスを収容している。
【０００３】
【発明が解決しようとする課題】
しかしながら、前述した技術は、ワイヤハーネスおける余長部分の長さを調整し難く、長さ調整作業をワンタッチで行い難いといった問題点がある。なお、関連した技術として、特開平１１−１８２８８８号公報、特開平１１−０１８２５７号公報、特開平１０−３１２７１６号公報、特開平８−０９１１４５号公報などがある。
【０００４】
本発明は、上述の課題を解決するためになされたもので、特に、ワイヤハーネスの余長部分の長さをワンタッチで調整できるようにした余長収容ケースを提供することを目的とする。
【０００５】
【課題を解決するための手段】
本発明に係るワイヤハーネス余長収容ケースは、複数本の配線を有するワイヤハーネスの余長部分をケース本体内に収容するための余長収容ケースにおいて、ケース本体に設けられた平板状の中敷きプレートと、この中敷きプレートの導出側端部に複数並べて立設させると共に、隣接する２本で配線の周面を挟み込む第１の固定ピンとを備えたことを特徴とする。
【０００６】
この余長収容ケースにおいては、ケース本体に設けられた中敷きプレートの導出側端部には、複数本の第１の固定ピンが並べられるようにして立設され、隣接する２本の第１の固定ピンによりワイヤハーネスの配線の周面を挟み込む。これにより、配線の途中を摘むようにして、第１の固定ピン間に配線を上から差し込むことで、ワイヤハーネスの配線を余長収容ケース内でワンタッチに保持させることができ、長さにバラツキがあるワイヤハーネスでも、その長さ調整作業が極めて容易になる。さらに、結線作業にあたって、ワイヤハーネスの先端側が外部から引っ張られた場合でも、断線し難いといった利点もある。
【０００７】
また、中敷きプレート上において、導出側端部に対向する導入側端部に複数の第２の固定ピンを並べて立設させ、隣接する２本の第２の固定ピンで配線の周面を挟み込むと好適である。このような構成によって、中敷きプレート上の第１の固定ピンと第２の固定ピンとの間で、余長を確実に作り出すことができる。
【０００８】
【発明の実施の形態】
以下、図面を参照しつつ本発明に係るワイヤハーネス余長収容ケースの好適な実施形態について詳細に説明する。
【０００９】
図１は、撮像対象物（例えば、硬貨、メダル、紙幣など）Ｍの真偽を判別するための撮像装置Ｐを示す断面図であり、図２は、撮像装置Ｐに利用されるワイヤハーネス余長収容ケース１を示す斜視図である。これら図面に示すように、ワイヤハーネス余長収容ケース１は、撮像装置Ｐのユニット化と汎用性向上を目的にしたものであり、軽量化を可能にしたプラスチックス製のケース本体２を有している。このケース本体２には、平板状で且つ矩形の中敷きプレート３が設けられ、この中敷きプレート３は、二枚の平行な側板４，５と一枚の前板６とで三方が包囲されている。さらに、前板６には、直方体形状の撮像ボックス７が一体に形成されている。
【００１０】
この撮像ボックス７内には、所定の搬送ガイド８上を高速で流動する撮像対象物（例えば、硬貨やメダル）Ｍを撮像するためのＣＣＤ（撮像部）９と、防塵ガラス窓１０を介して撮像対象物Ｍを照らすためのＬＥＤ（照明部）１１が収容されている。そして、ＣＣＤ９及びＬＥＤ１１は、撮像ボックス７にネジ止めされた駆動回路基板１２にリードを介して実装されている。なお、搬送ガイド８上の所定位置に撮像装置Ｐをしっかり固定させるため、中敷きプレート３には、ネジ１６を挿入させるためのネジ差し込み孔１７が２個設けられている。
【００１１】
このような駆動回路基板１２からは、図１及び図３に示すように、複数本（例えば４本）の配線１３が外部に向けて導出され、各配線１３は、前板６に設けられた導入孔１５を介して中敷きプレート３側に導入される。そして、４本の配線１３の先端には、他の機器への接続を可能にするためのコネクタ端子１４が取り付けられ、全ての配線１３を規格化されたコネクタ端子１４に接続することで、所望のワイヤハーネスＷが作り出される。このような撮像装置Ｐは、様々な据え付け状況に対応できるよう、ワイヤハーネスＷを可能な限りにおいて長く設定している。しかし、ワイヤハーネスＷの余長が長い場合、配線１３が搬送経路内に落ち込んだり、搬送経路内の送りベルトや送りローラに絡みついたりして、断線や機器の故障の原因となる。
【００１２】
そこで、図２〜図４に示すように、中敷きプレート３の上面において、開放された導出側端部Ａには、５本の第１の固定ピン２０が直線的に並べるようにして立設される。さらに、隣接する第１の固定ピン２０の間隔を、配線１３の直径より僅かに小さくすることで、隣接する２本の第１の固定ピン２０で配線の周面が挟み込まれる。なお、結線作業中に余長部分Ｓから配線１３が繰り出されることを考慮して、多少ゆるめの挟み込みが好適である。
【００１３】
これに対し、中敷きプレート３の上面において、配線１３が中敷きプレート３内に導入される導入側端部Ａには、５本の第２の固定ピン２１が直線的に並べるようにして立設される。さらに、隣接する第２の固定ピン２１の間隔を、配線１３の直径より僅かに小さくすることで、隣接する２本の第２の固定ピン２１で配線の周面が挟み込まれる。なお、結線作業中において、駆動回路基板１２上のハンダ部１２ａ（図３参照）での断線を考慮して、きつい挟み込みが好適である。
【００１４】
このように、中敷きプレート３の導出側端部Ａに５本の第１の固定ピン２０を設けると、配線１３の途中を指で摘むようにして、第１の固定ピン２０間に配線１３を上から差し込むことで、ワイヤハーネスＷの配線１３を余長収容ケース１内でワンタッチに保持させることができ、長さにバラツキがあるワイヤハーネスＷでも、配線１３が第１の固定ピン２０に対して着脱自在であるがゆえに、その長さ調整作業が極めて容易になる。さらに、結線作業にあたって、ワイヤハーネスＷのコネクタ端子１４を引っ張った場合でも、第１の固定ピン２０による配線１３のゆるい挟み込みによって、配線１３を中敷きプレート３上から所定長さだけ繰り出すことができる。
【００１５】
また、中敷きプレート３上において、導出側端部Ａに対向する導入側端部Ｂに５本の第２の固定ピン２１を設けることで、第１の固定ピン２０と第２の固定ピン２１との間で、Ｕ字状の余長部分Ｓを確実に作り出すことができる。そして、結線作業時に外部からコネクタ端子１４が引っ張られた場合でも、第２の固定ピン２１による配線１３のきつい挟み込みにより、駆動回路基板１２上のハンダ部１２ａ（図３参照）での断線が防止される。また、余長部分Ｓの両端がケース本体２内でしっかりと保持されるので、外部からの振動や衝撃等でケース本体２から余長部分Ｓが脱落し難い。しかも、中敷きプレート３は、二枚の平行な側板４，５と一枚の前板６とで三方が包囲されているので、余長部分Ｓを大きくしても、余長部分Ｓが中敷きプレート３から脱落することがなくなる。
【００１６】
本発明は、前述した実施形態に限定されるものではない。例えば、第１の固定ピン２０による配線１３の挟み込み力を作り出している固定ピン２０間の寸法は、配線１３の被覆部分の材質を考慮して適宜選択されることは言うまでもない。また、第２の固定ピン２１についても同様である。
【００１７】
【発明の効果】
本発明によるワイヤハーネス余長収容ケースは、以上のように構成されているため、次のような効果を得る。すなわち、複数本の配線を有するワイヤハーネスの余長部分をケース本体内に収容するための余長収容ケースにおいて、ケース本体に設けられた平板状の中敷きプレートと、この中敷きプレートの導出側端部に複数並べて立設させると共に、隣接する２本で配線の周面を挟み込む第１の固定ピンとを備えたことにより、ワイヤハーネスの余長部分の長さをワンタッチで調整できる。
【図面の簡単な説明】
【図１】本発明に係るワイヤハーネス余長収容ケースの一実施形態を適用した撮像装置を示す図である。
【図２】本発明に係るワイヤハーネス余長収容ケースの一実施形態を示す斜視図である。
【図３】図１に示した撮像装置の平面図である。
【図４】ワイヤハーネス余長収容ケースの要部拡大斜視図である。
【符号の説明】
１…ワイヤハーネス余長収容ケース、２…ケース本体、３…中敷きプレート、１３…配線、２０…第１の固定ピン、２１…第２の固定ピン、Ａ…導出側端部、Ｂ…導入側端部、Ｓ…余長部分、Ｗ…ワイヤハーネス、Ｐ…撮像装置。
【図１】
2004056923.tif 000003
【図２】
2004056923.tif 000004
【図３】
2004056923.tif 000005
【図４】
2004056923.tif 000006